(57)【要約】【課題】要介護者の介護状況にあわせて調整することができ、要介護者のリハビリも可能な歩行補助用杖を提供する。【解決手段】複数本のシャフトの連結体からなり、長さ調整可能な杖本体１１の一方の端部に太鼓型形状体からなるグリップ１６を有する歩行補助用杖１０であって、太鼓型形状体の胴部を水平とする中心と、杖本体１１の最上段の第１のシャフト１２の一方の端部がＴ字状に接続固定され、太鼓型形状体が弾性体で形成されると共に、第１のシャフト１２の一方の端部と他方の端部の間に設けられる回動可能な角度調整部１９を支点としてグリップ１６がＴ字状を前面視して前後方向に角度調整可能に構成され、しかも、太鼓型形状体の胴部を把持する人差し指、中指、及び薬指を横断して固定するための太鼓型形状体の相対向する側面から延設される締付自在からなるバンド２０を有する。【選択図】図１
0003125549.tif 000002
【実用新案登録請求の範囲】
【請求項１】
複数本のシャフトの連結体からなり、長さ調整可能な杖本体の一方の端部に太鼓型形状体からなるグリップを有する歩行補助用杖であって、
前記グリップの前記太鼓型形状体の胴部を水平とする中心と、前記杖本体の最上段の第１のシャフトの一方の端部がＴ字状に接続固定され、前記太鼓型形状体が弾性体で形成されると共に、前記第１のシャフトの一方の端部と他方の端部の間に設けられる回動可能な角度調整部を支点として前記グリップが前記Ｔ字状を前面視して前後方向に角度調整可能に構成され、しかも、前記グリップの前記太鼓型形状体の胴部を把持する人差し指、中指、及び薬指を横断して固定するための前記太鼓型形状体の相対向する側面から延設される締付自在からなるバンドを有することを特徴とする歩行補助用杖。
【請求項２】
請求項１記載の歩行補助用杖において、前記グリップの前記太鼓型形状体の相対向する側面のそれぞれに、親指と、小指を嵌着させて前記グリップを狭持することができるための窪みを有することを特徴とする歩行補助用杖。
【請求項３】
複数本のシャフトの連結体からなり、長さ調整可能な杖本体の一方の端部に太鼓型形状体と、該太鼓型形状体の胴部の上表面部と上表面を同一水平にし、幅を前記太鼓型形状体の長さより小さくする瓢箪型にくびれて前記太鼓型形状体の長さ方向に対して直角方向に突出し、先端部が手の手根骨あたりで当接する出っ張り部からなるグリップを有する歩行補助用杖であって、
前記グリップの前記太鼓型形状体の胴部、及び前記出っ張り部の上表面部を水平とする前記太鼓型形状体の胴部の中心と、前記杖本体の最上段の第１のシャフトの一方の端部がＴ字状に接続固定され、前記太鼓型形状体が弾性体で形成されると共に、前記第１のシャフトの一方の端部と他方の端部の間に設けられる回動可能な角度調整部を支点として前記グリップが前記Ｔ字状を前面視して前後方向に角度調整可能に構成され、しかも、前記グリップの前記太鼓型形状体の胴部を把持する人差し指、中指、及び薬指を横断して固定するための前記太鼓型形状体の相対向する側面から延設される締付自在からなるバンドを有することを特徴とする歩行補助用杖。
【考案の詳細な説明】
【技術分野】
【０００１】
本考案は、手足が弱った要介護者、特に、手に障害があって握力等が低下した要介護者が手の訓練を兼ねて歩行を助けることができるための歩行補助用杖に関する。
【背景技術】
【０００２】
従来から、歩行補助用杖は、要介護者にとって歩行障害を補うための重要な道具となっている。このような歩行補助用杖は、通常、手で握る部分である杖本体の一方の端部のグリップを掴んで他方の端部を進行方向前方に突き出すようにし、杖本体に腕の軸力を作用させて杖本体の他方の端部を進行方向後方に押し出すようにして使用している。このような使用方法によって、要介護者は、接地面からの反力で歩行力を補って歩行を助けている。このような歩行補助用杖の使用においては、腕の軸力を作用させて杖本体に曲げモーメントが作用するのを抑え、接地面からの反力を引き出すために、杖本体の一方の端部のグリップの形態が重要な要素を占めている。
【０００３】
従来から歩行補助用杖には、グリップの形態がＩ字型、球型、コ字型、Ｔ字型、Ｌ字型等の様々な形状をしたものがある。Ｉ字型グリップを有する杖は、歩行補助用ではないが、主にスキー等で用いることが多い。このＩ字型グリップからなる杖には、Ｉ字型部分に屈曲部分を設け、横から握って杖本体の他方の端部からの強大な手首にかかる衝撃力を杖本体に曲げモーメントを作用させながら違和感なく的確に進行方向のより前方の位置に突くためのグリップ形態となっているものが提案されている（例えば、特許文献１参照）。
しかしながら、グリップの形態がＩ字型の杖は、要介護者が使用するためのような歩行補助用杖としては、杖に作用させる力のかけ方が全く異なり、要介護者の身体を支えることができないために、不向きなものとなっている。
【０００４】
また、杖のグリップには、手軽に持ち運べるアクセサリー用として使用される杖として、グリップの形態を掌で掴むことができる程度の球型とし、ファッション性を持たせると共に、手のひらにマッサージ効果を生じさせることが期待されるものが提案されている（例えば、特許文献２参照）。
しかしながら、グリップの形態が球型の杖は、単に球型部分を手で軽く握るだけのものであり、要介護者が使用するためのような歩行補助用杖としては、身体を支えるために手に負担が大きくかかり十分に身体を支えるだけの機能を備えていないので、不向きなものとなっている。
【０００５】
更に、杖のグリップには、多機能性を持たせる杖として、グリップの形態をコ字型とし、それぞれの部分を歩行のための握り部、休憩ないし立ち上がり用の握り部、室内用の杖カバー等の引っ掛け用部として用いるものが提案されている（例えば、特許文献３参照）。
しかしながら、グリップの形態がコ字型の杖は、様々な機能を杖に持たせることができるものの、要介護者が使用するためのような歩行補助用杖としては、中途半端であり、使い勝手に問題が残るものとなっている。
【０００６】
そこで、要介護者のための歩行補助用杖には、身体を支えて歩行ができる好適なグリップの形態として、一般的に、Ｔ字型や、この変形であるＬ字型で構成されているものが多く使用されている。このＴ字型グリップには、この中においても様々な工夫が凝らされたものがあるが、グリップ自体が所定の角度範囲内で前後方向に回動可能なように、杖本体とグリップとを連結ピンを介して連結させたものが提案されている（例えば、特許文献４参照）。
また、要介護者向けの歩行補助用杖には、握力の弱った人でも使用できる杖として、棒状の杖本体と、円盤状のグリップからなり、グリップの外周の周縁部分に手の指を入れるための切り欠き部を備えたものが提案されている（例えば、特許文献５参照）。
【０００７】
【特許文献１】特開２００１−３２７６４６号公報
【特許文献２】実用新案登録第３０５９６５３号公報
【特許文献３】特開２００２−３２５６０８号公報
【特許文献４】特開平１０−１７９６６４号公報
【特許文献５】特開２００２−１３６３１６号公報
【考案の開示】
【考案が解決しようとする課題】
【０００８】
しかしながら、前述したような従来の歩行補助用杖は、未だ解決すべき次のような問題がある。
（１）Ｔ字型グリップを備えた歩行補助用杖は、歩行時にＴ字型グリップのＴ字が進行方向に対して平行となるように使用するので、腕や手首も進行方向に対して平行にして身体を横側に倒すように支えて歩行することとなり、手足への負担が大きくなり、要介護者にはきつい歩行となっている。また、Ｔ字型グリップを備えた歩行補助用杖は、十分な握力を備えた人には使用可能であるが、特開平１０−１７９６６４号公報で開示されるような、所定の角度範囲内で前後方向に回動可能なＴ字型グリップを備えたものであっても、握力の弱った人には杖を手から滑り落とす危険性がある。
（２）特開２００２−１３６３１６号公報で開示されるような、棒状の杖本体と、円盤状のグリップで構成され、グリップの外周の周縁部分に手の指を入れるための切り欠き部を備えた歩行補助用杖は、要介護者のそれぞれの弱い部分に合わせる杖本体の長さ調整や、グリップを把持する時の角度調整を行うことができないので、要介護者によっては無理な歩行が強いられる場合がある。
【０００９】
本考案は、かかる事情に鑑みてなされたものであって、要介護者の介護状況にあわせて調整することができ、要介護者のリハビリテーションも可能な歩行補助用杖を提供することを目的とする。
【課題を解決するための手段】
【００１０】
前記目的に沿う本考案に係る歩行補助用杖は、複数本のシャフトの連結体からなり、長さ調整可能な杖本体の一方の端部に太鼓型形状体からなるグリップを有する歩行補助用杖であって、グリップの太鼓型形状体の胴部を水平とする中心と、杖本体の最上段の第１のシャフトの一方の端部がＴ字状に接続固定され、太鼓型形状体が弾性体で形成されると共に、第１のシャフトの一方の端部と他方の端部の間に設けられる回動可能な角度調整部を支点としてグリップがＴ字状を前面視して前後方向に角度調整可能に構成され、しかも、グリップの太鼓型形状体の胴部を把持する人差し指、中指、及び薬指を横断して固定するための太鼓型形状体の相対向する側面から延設される締付自在からなるバンドを有する。
【００１１】
ここで、上記の歩行補助用杖は、グリップの太鼓型形状体の相対向する側面のそれぞれに、親指と、小指を嵌着させてグリップを狭持することができるための窪みを有する。
【００１２】
前記目的に沿う本考案に係る他の歩行補助用杖は、複数本のシャフトの連結体からなり、長さ調整可能な杖本体の一方の端部に太鼓型形状体と、太鼓型形状体の胴部の上表面部と上表面を同一水平にし、幅を太鼓型形状体の長さより小さくする瓢箪型にくびれて太鼓型形状体の長さ方向に対して直角方向に突出し、先端部が手の手根骨あたりで当接する出っ張り部からなるグリップを有する歩行補助用杖であって、グリップの太鼓型形状体の胴部、及び出っ張り部の上表面部を水平とする太鼓型形状体の胴部の中心と、杖本体の最上段の第１のシャフトの一方の端部がＴ字状に接続固定され、太鼓型形状体が弾性体で形成されると共に、第１のシャフトの一方の端部と他方の端部の間に設けられる回動可能な角度調整部を支点としてグリップがＴ字状を前面視して前後方向に角度調整可能に構成され、しかも、グリップの太鼓型形状体の胴部を把持する人差し指、中指、及び薬指を横断して固定するための太鼓型形状体の相対向する側面から延設される締付自在からなるバンドを有する。
【考案の効果】
【００１３】
請求項１又はこれに従属する請求項２記載の歩行補助用杖は、複数本のシャフトの連結体からなり、長さ調整可能な杖本体の一方の端部に太鼓型形状体からなるグリップを有する歩行補助用杖であって、グリップの太鼓型形状体の胴部を水平とする中心と、杖本体の最上段の第１のシャフトの一方の端部がＴ字状に接続固定され、太鼓型形状体が弾性体で形成されると共に、第１のシャフトの一方の端部と他方の端部の間に設けられる回動可能な角度調整部を支点としてグリップがＴ字状を前面視して前後方向に角度調整可能に構成され、しかも、グリップの太鼓型形状体の胴部を把持する人差し指、中指、及び薬指を横断して固定するための太鼓型形状体の相対向する側面から延設される締付自在からなるバンドを有するので、要介護者の身体状況、要介護状況に合わせて杖の高さや、角度を調整して太鼓型形状体のグリップのＴ字状を進行方向に対して垂直になるように使用でき、身体を前方側に倒すように支えて手足の負担を軽減して歩行することができ、要介護者が無理のない歩行をすることができる。また、握力の弱った要介護人であっても、弾性体で覆われた太鼓型形状体のグリップを無理なく握り締めることができ、しかもバンドで手をしっかりと固定させることができるので、杖を歩行補助用として有効に活用することができる。更に、握力の弱った要介護者が杖を使用する場合には、グリップの弾性体によって、歩行中であってもグリップを握り締めたり、緩めたりすることで、弱った指のリハビリに活用することができる。
【００１４】
特に、請求項２記載の歩行補助用杖は、グリップの太鼓型形状体の相対向する側面のそれぞれに、親指と、小指を嵌着させてグリップを狭持することができるための窪みを有するので、グリップを人差し指、中指、及び薬指で無理なく把持すると共に、親指と、小指で確実に狭持することができる。
【００１５】
請求項３記載の歩行補助用杖は、複数本のシャフトの連結体からなり、長さ調整可能な杖本体の一方の端部に太鼓型形状体と、太鼓型形状体の胴部の上表面部と上表面を同一水平にし、幅を太鼓型形状体の長さより小さくする瓢箪型にくびれて太鼓型形状体の長さ方向に対して直角方向に突出し、先端部が手の手根骨あたりで当接する出っ張り部からなるグリップを有する歩行補助用杖であって、グリップの太鼓型形状体の胴部、及び出っ張り部の上表面部を水平とする太鼓型形状体の胴部の中心と、杖本体の最上段の第１のシャフトの一方の端部がＴ字状に接続固定され、太鼓型形状体が弾性体で形成されると共に、第１のシャフトの一方の端部と他方の端部の間に設けられる回動可能な角度調整部を支点としてグリップがＴ字状を前面視して前後方向に角度調整可能に構成され、しかも、グリップの太鼓型形状体の胴部を把持する人差し指、中指、及び薬指を横断して固定するための太鼓型形状体の相対向する側面から延設される締付自在からなるバンドを有するので、要介護者の身体状況、要介護状況に合わせて杖の高さや、角度を調整して太鼓型形状体のグリップのＴ字状を進行方向に対して垂直になるように使用でき、身体を前方側に倒すように支えて手足の負担を軽減して歩行することができ、要介護者が無理のない歩行をすることができる。また、出っ張り部によって、手首が弱った要介護者でも手首の負担を軽減して、弾性体で覆われた太鼓型形状体のグリップを無理なく握り締めることができ、しかもバンドで手をしっかりと固定させることができるので、杖を歩行補助用として有効に活用することができる。更に、手首や、握力の弱った要介護者が杖を使用する場合には、グリップの弾性体によって、歩行中であってもグリップを握り締めたり、緩めたりすることで、出っ張り部による手首への負担の軽減を計りながら弱った指のリハビリに活用することができる。
【考案を実施するための最良の形態】
【００１６】
続いて、添付した図面を参照しつつ、本考案を具体化した実施するための最良の形態について説明し、本考案の理解に供する。
ここに、図１（Ａ）、（Ｂ）はそれぞれ本考案の一実施の形態に係る歩行補助用杖の平面図、正面図、図２（Ａ）、（Ｂ）はそれぞれ同歩行補助用杖の変形例の平面図、正面図、図３（Ａ）、（Ｂ）はそれぞれ本考案の一実施の形態に係る他の歩行補助用杖の平面図、正面図である。
【００１７】
図１（Ａ）、（Ｂ）に示すように、本考案の一実施の形態に係る歩行補助用杖１０は、杖本体１１を複数本、例えば、第１のシャフト１２、第２のシャフト１２ａ、第３のシャフト１２ｂのシャフトの連結体で構成している。この３本のシャフトからなる場合の杖本体１１は、第２のシャフト１２ａと、第３のシャフト１２ｂで杖本体１１の長さが調整できるようになっている。この杖本体１１の長さ調整の方法には、さまざまな形態を用いることができるが、背丈等の異なる要介護者のすべての人が無理なく使用できるようにするのと、要介護者の安全が確実に確保できるようにすることが必要である。これらを満足させるためには、例えば、筒状の第２のシャフト１２ａに等間隔で整列する複数個のロックピン用孔１３を設けると共に、第２のシャフト１２ａの筒中に収納可能な径からなる第３のシャフト１２ｂにロックピン用孔１３と嵌合できるバネ式のロックピン１４を設けている。そして、第２のシャフト１２ａの筒中には、第３のシャフト１２ｂを挿入させ、所望位置のロックピン用孔１３にロックピン１４を嵌合させることで杖本体１１の長さ調整が可能となっている。更に、第２のシャフト１２ａと、第３のシャフト１２ｂの間には、締付ねじ１５を設けて、第３のシャフト１２ｂの第２のシャフト１２ａの筒中での移動を強固に止めるようにして、全ての要介護者が対応できる安全な歩行補助用杖１０としている。なお、シャフトの材質は、金属、硬質プラスチック等、特に限定するものではないが、軽くて強度がある、アルミニウムや，チタン等が特に好ましい。
【００１８】
上記の歩行補助用杖１０は、杖本体１１の一方の端部である第１のシャフト１２の上端側に太鼓型形状体からなるグリップ１６を有している。また、歩行補助用杖１０は、通常、杖本体１１の他方の端部である第３のシャフト１２ｂの下端側に滑り止め用の保護キャップ１７を有している。この歩行補助用杖１０のグリップ１６は、太鼓型形状体の長さ方向である胴部を水平とする中心と、杖本体１１の複数本のシャフトの内の最上段のシャフトである第１のシャフト１２の一方の端部とが垂直に取り付けられ、Ｔ字状に接続固定されている。この接続固定の方法は、特に、限定するものではなく様々な方法で固定することができるが、例えば、グリップ１６の太鼓型形状体の胴部の長さ方向に設けるボルト１８に板状や、筒状の第１のシャフト１２を取り付けることで接続固定することができる。そして、グリップ１６は、太鼓型形状体がスポンジ、ゴムスポンジ、ウレタンフォーム、ポリエチレンフォーム等からなる弾性体でボルト１８や、第１のシャフト１２の一方の端部等を包み込むようにして形成されている。これらからなる弾性体は、適当な硬度と、低反発を有しているので、握力の弱った要介護人であっても、無理なく握り締めることができる。また、グリップ１６は、第１のシャフト１２の一方の端部と他方の端部の間に設けられる回動可能な角度調整部１９を支点としてＴ字状を前面視して前後方向に角度調整可能に構成されている。この角度調整部１９の構造は、特に限定するものではなく様々な方式があるが、例えば、回転可能なジョイント部で所望する回転角度を選択してねじ締めする等で固定して角度の調整を可能としている。
【００１９】
上記の歩行補助用杖１０のグリップ１６には、太鼓型形状体の胴部を把持する人差し指、中指、及び薬指を横断して固定するための太鼓型形状体の相対向する側面から延設される締付自在からなるバンド２０を有している。このバンド２０は、牛革製等のリボン状からなり、例えば、一方の端部を太鼓型形状体の胴部の長さ方向に設けるボルト１８の一方側にナットや、ねじ等からなる締付具２１で締め付けて回動自在にして固定し、他方の端部をボルト１８の他方側に回動自在にして設ける角カン２２に通して折り曲げたところで面ファスナーで互いに接合できるようになっている。また、このバンド２０は、指の付け根と、指先あたりが締付可能となるようにして、握力の弱った要介護人であっても、無理なくグリップ１６を握って、杖から手が外れないようにすることができるように、２ヶ所に設けるのが好ましい。なお、このバンド２０には、バンド２０の指に当接する部分となるところの指を保護するために、フェルト等を貼りつけた保護帯２３を取り付けるのが好ましい。
【００２０】
上記の歩行補助用杖１０は、太鼓型形状体の相対向する側面のそれぞれを親指と、小指で挟み込んでグリップ１６を持つようになっている。そこで、図２（Ａ）、（Ｂ）に示すように、上記の歩行補助用杖１０の場合においては、太鼓型形状体の相対向する側面のそれぞれに親指と、小指を嵌着させてグリップ１６を狭持することができるための窪み２４が設けられているのがよい。この窪み２４の形成は、グリップ１６を覆う弾性体に形成されるので、容易に形成できると共に、グリップ１６に親指と、小指を容易に嵌着させて、グリップ１６をしっかりと狭持することができる。
【００２１】
次に、図３（Ａ）、（Ｂ）を参照しながら本考案の一実施の形態に係る他の歩行補助用杖１０ａを説明する。歩行補助用杖１０ａは、基本的には歩行補助用杖１０と同様の構成からなっている。
図３（Ａ）、（Ｂ）に示すように、歩行補助用杖１０ａは、歩行補助用杖１０と同様に、杖本体１１を複数本のシャフトの連結体で構成している。そして、歩行補助用杖１０ａは、長さ調整可能な杖本体１１の一方の端部に太鼓型形状体と、これに隣接して出っ張り部２５を備えたグリップ１６ａを有している。この歩行補助用杖１０ａのグリップ１６ａは、出っ張り部２５が太鼓型形状体の胴部の上表面部と上表面を同一水平にすると共に、厚さを太鼓型形状体の直径より薄くし、しかも、幅を太鼓型形状体の長さより小さくする瓢箪型にくびれて太鼓型形状体の長さ方向に対して直角方向に突出するようにして形成されている。このグリップ１６ａは、出っ張り部２５の先端部で手の手根骨あたりが当接するように構成されている。
【００２２】
この歩行補助用杖１０ａは、グリップ１６ａの太鼓型形状体の胴部、及び出っ張り部２５の上表面部を水平とする太鼓型形状体の胴部の中心と、杖本体１１の最上段の第１のシャフト１２の一方の端部とが垂直に取り付けられ、Ｔ字状に接続固定されている。そして、歩行補助用杖１０ａには、歩行補助用杖１０の場合と同様に、太鼓型形状体と出っ張り部２５からなるグリップ１６ａがスポンジ、ゴムスポンジ、ウレタンフォーム、ポリエチレンフォーム等からなる弾性体でボルト１８や、第１のシャフト１２の一方の端部等を包み込むようにして形成されている。また、歩行補助用杖１０ａは、歩行補助用杖１０の場合と同様に、グリップ１６ａが第１のシャフト１２の一方の端部と他方の端部の間に設けられる回動可能な角度調整部１９を支点としてＴ字状を前面視して前後方向に角度調整可能に構成されている。しかも、歩行補助用杖１０ａは、歩行補助用杖１０の場合と同様に、グリップ１６ａの太鼓型形状体の胴部を把持する人差し指、中指、及び薬指を横断して固定するための太鼓型形状体の相対向する側面から延設される締付自在からなるバンド２０を有している。
【産業上の利用可能性】
【００２３】
本考案の歩行補助用杖は、手足が弱った要介護者、特に、手に障害があって握力等が低下した要介護者が手の訓練を兼ねて歩行を助けることができるための歩行補助用杖として用いることができる。
【図面の簡単な説明】
【００２４】
【図１】（Ａ）、（Ｂ）はそれぞれ本考案の一実施の形態に係る歩行補助用杖の平面図、正面図である。
【図２】（Ａ）、（Ｂ）はそれぞれ同歩行補助用杖の変形例の平面図、正面図である。
【図３】（Ａ）、（Ｂ）はそれぞれ本考案の一実施の形態に係る他の歩行補助用杖の平面図、正面図である。
【符号の説明】
【００２５】
１０、１０ａ：歩行補助用杖、１１：杖本体、１２：第１のシャフト、１２ａ：第２のシャフト、１２ｂ：第３のシャフト、１３：ロックピン用孔、１４：ロックピン、１５：締付ねじ、１６、１６ａ：グリップ、１７：保護キャップ、１８：ボルト、１９：角度調整部、２０：バンド、２１：締付具、２２：角カン、２３：保護帯、２４：窪み、２５：出っ張り部
【図１】
0003125549.tif 000003
【図２】
0003125549.tif 000004
【図３】
0003125549.tif 000005